(57)【要約】【課題】帆布製カバーの使用を省くことで、耐久性と見た目の向上を図ることができる消防用サクションホースのストレーナ装置を提供する。【解決手段】消防用サクションホースに取付けるストレーナ１２に塵よけ籠１３を被せ、前記ストレーナ１２と塵よけ籠１３の周壁間に生じた環状隙間内に、ストレーナ１２と塵よけ籠１３を互いに抜けないように結合するフック部材１４を挿入し、前記フック部材１４が、ストレーナ１２に対して外嵌する環状体１８から軸方向に延設したアーム１９に、塵よけ籠１３の周壁に係合する係合爪２０を設けて形成されている。【選択図】図１
2010240475.tif 000002
【特許請求の範囲】
【請求項１】
開口側端部の内周に雌ねじを設けたストレーナと、このストレーナに対して外側を覆う
ように被せる塵よけ籠と、前記ストレーナと塵よけ籠の周壁間に生じた環状隙間内に挿入
することによって、ストレーナと塵よけ籠を互いに抜けないように結合するフック部材と
、前記塵よけ籠の開口側端部に被せて取付ける環状のカバーとからなり、前記フック部材
が、ストレーナに対して外嵌する環状体から軸方向に延設したアームに、塵よけ籠の周壁
に係合する係合爪を設けて形成されている消防用サクションホースのストレーナ装置。
【請求項２】
開口側端部の内周に雌ねじを設けたストレーナと、このストレーナの雌ねじに螺合する
雄ねじ筒とサクションホースの端部金具を螺合する雌ねじ筒を備えた筒状の継手金具と、
前記ストレーナに対して外側を覆うように被せる塵よけ籠と、前記ストレーナと塵よけ籠
の周壁間に生じた環状隙間内に挿入することによって、ストレーナと塵よけ籠を互いに抜
けないように結合するフック部材と、前記塵よけ籠の開口側端部に被せて取付ける環状の
カバーとからなり、前記フック部材が、ストレーナに対して外嵌する環状体から軸方向に
延設したアームに、塵よけ籠の周壁に係合する係合爪を設けて形成されている消防用サク
ションホースのストレーナ装置。
【請求項３】
上記ストレーナは、一端側が開口して他端側が閉鎖された円筒状で周囲に多数の通水孔
を設けて形成され、このストレーナの一端側寄りの外周面に、外嵌したフック部材の環状
体が他端側に移動するのを規制するフランジが設けられている請求項１又は２に記載の消
防用サクションホースのストレーナ装置。
【請求項４】
上記フック部材は、環状体から複数本のアームが軸方向に延設し、このフック部材を合
成樹脂で形成することにより、各アームに塵よけ籠の半径方向に沿う弾力性を持たせ、係
合爪を塵よけ籠の周壁に弾力的に係合させた請求項１乃至３の何れかに記載の消防用サク
ションホースのストレーナ装置。
【請求項５】
上記継手金具は、雌ねじ筒にサクションホース引き上げロープが接続されている請求項
２に記載の消防用サクションホースのストレーナ装置。
【発明の詳細な説明】
【技術分野】
【０００１】
この発明は、消防用サクションホースの吸引側端部に取付け、ゴミや砂利等の不要物が
吸込まれないように吸水を濾過するためのストレーナ装置に関する。
【背景技術】
【０００２】
図６のように、消火用の水源を、河川や湖沼、貯水タンクやプール等に求める場合、消
防車１のポンプにサクションホース２を接続しておき、このサクションホース２の吸引側
端部を水源に浸漬させ、ポンプの起動により吸引した水を消防ホースに送るようにしてい
る。
【０００３】
このとき、水源に含まれているゴミや砂利等の不要物が吸込まれないように、サクショ
ンホース２の吸引側端部には吸水を濾過するためのストレーナ装置３が取付けられている
（特許文献１参照）。
【０００４】
従来のストレーナ装置３は、図７に示すように、サクションホース２の吸引側端部に設
けた端部金具にストレーナ４をねじ込んで取付け、このストレーナ４に対して外側を覆う
ように塵よけ籠５を被せ、塵よけ籠５の開口端に取付けた帆布製のカバー６を紐７でサク
ションホース２に縛り付ける構造になっていた。
【０００５】
このように、従来のストレーナ装置３は、ストレーナ４と塵よけ籠５がそれぞれ独立し
て役目を果たしているので、塵よけ籠５をサクションホース２に取付けるには、帆布製の
カバー６を使用する以外に方法がなかった。
【先行技術文献】
【特許文献】
【０００６】
【特許文献１】特開平９−３８２３４号公報
【発明の概要】
【発明が解決しようとする課題】
【０００７】
ところで、サクションホース２は、重量が重い上に緊急時に使用するためその取り扱い
は荒く、このため、帆布製のカバー６は直ぐに破れ、塵よけ籠５の取替え頻度が多くなる
という問題がある。
【０００８】
また、図６のように、サクションホース２は、使用しないとき消防車１の車体側面にま
るめる等して取付けておくが、ストレーナ装置３に帆布製のカバー６を使用していると、
見た目の体裁が悪いという問題もある。
【０００９】
そこで、この発明の課題は、帆布製カバーの使用を省くことで、耐久性と見た目の向上
を図ることができる消防用サクションホースのストレーナ装置を提供することにある。
【課題を解決するための手段】
【００１０】
上記の課題を解決するため、請求項１の発明は、開口側端部の内周に雌ねじを設けたス
トレーナと、このストレーナに対して外側を覆うように被せる塵よけ籠と、前記ストレー
ナと塵よけ籠の周壁間に生じた環状隙間内に挿入することによって、ストレーナと塵よけ
籠を互いに抜けないように結合するフック部材と、前記塵よけ籠の開口側端部に被せて取
付ける環状のカバーとからなり、前記フック部材が、ストレーナに対して外嵌する環状体
から軸方向に延設したアームに、塵よけ籠の周壁に係合する係合爪を設けて形成されてい
る構成を採用したものである。
【００１１】
請求項２の発明は、開口側端部の内周に雌ねじを設けたストレーナと、このストレーナ
の雌ねじに螺合する雄ねじ筒とサクションホースの端部金具を螺合する雌ねじ筒を備えた
筒状の継手金具と、前記ストレーナに対して外側を覆うように被せる塵よけ籠と、前記ス
トレーナと塵よけ籠の周壁間に生じた環状隙間内に挿入することによって、ストレーナと
塵よけ籠を互いに抜けないように結合するフック部材と、前記塵よけ籠の開口側端部に被
せて取付ける環状のカバーとからなり、前記フック部材が、ストレーナに対して外嵌する
環状体から軸方向に延設したアームに、塵よけ籠の周壁に係合する係合爪を設けて形成さ
れている構成を採用したものである。
【００１２】
請求項３の発明は、上記ストレーナは、一端側が開口して他端側が閉鎖された円筒状で
周囲に多数の通水孔を設けて形成され、このストレーナの一端側寄りの外周面に、外嵌し
たフック部材の環状体が他端側に移動するのを規制するフランジが設けられている構成と
したものである。
【００１３】
請求項４の発明は、上記フック部材は、環状体から複数本のアームが軸方向に延設し、
このフック部材を合成樹脂で形成することにより、各アームに塵よけ籠の半径方向に沿う
弾力性を持たせ、係合爪を塵よけ籠の周壁に弾力的に係合させた構成としたものである。
【００１４】
請求項５の発明は、上記継手金具は、雌ねじ筒にサクションホース引き上げロープが接
続されている構成としたものである。
【００１５】
ここで、上記ストレーナの開口側端部の内周に設けた雌ねじは、適合するサクションホ
ースの端部金具に設けた雄ねじを螺合することができるサイズに形成され、上記継手金具
は、雌ねじ筒の内径を選ぶことにより、径の異なるサクションホースに対してストレーナ
装置の取付けを可能にすることができる。
【００１６】
また、ストレーナに被せる塵よけ籠は、合成樹脂の扁平線材を縦横に用い、ストレーナ
よりも大きい有底状の筒形に編み上げられ、その内周壁は横扁平線材にフック部材の係合
爪が係合するようになっている。
【００１７】
また、上記継手金具の雌ねじ筒は、外周に設けた周溝にステンレスバンドを回転可能に
巻着し、このバンドにより戻しとフックを介して引き上げロープが接続されており、水源
に投入したサクションホースの吸引端部をストレーナ装置と共に地上へ引き上げることが
できるようにしている。
【発明の効果】
【００１８】
この発明によると、ストレーナとこれに被せた塵よけ籠の周壁間に生じた環状隙間内に
フック部材を挿入し、このフック部材で、ストレーナと塵よけ籠を互いに抜けないように
結合したので、サクションホースに接続したストレーナに塵よけ籠をフック部材で固定化
することができ、これによって、従来、塵よけ籠の取付けに用いられていた帆布製カバー
を省くことができ、手荒い使用によって帆布製カバーが短期間の使用で破れるという問題
の発生を解消でき、サクションホースに取付けるストレーナ装置の耐久性向上と見た目の
外観向上を図ることができる。
【００１９】
また、サクションホースへのストレーナの取付けに筒状の継手金具を用いれば、雌ねじ
筒の内径を選ぶことにより、径の異なるサクションホースに対してストレーナ装置の取付
けが可能になる。
【００２０】
更に、継手金具の雌ねじ筒に引き上げロープが接続すると、この引き上げロープによっ
て、水源に投入したサクションホースの吸引端部をストレーナ装置と共に地上へ引き上げ
る作業が円滑に行えることになる。
【図面の簡単な説明】
【００２１】
【図１】この発明に係るストレーナ装置の分解斜視図
【図２】この発明に係るストレーナ装置の組立て状態を示す縦断正面図
【図３】引き上げロープ付の継手金具を組み合わせ使用したストレーナ装置を示す正面図
【図４】（ａ）は継手金具を組み合わせ使用したストレーナ装置を示す縦断正面図、（ｂ）はこれに引き上げロープ付の継手金具を組み合わせ使用した分解状態の縦断正面図、（ｃ）は同組み立て状態の縦断正面図
【図５】（ａ）は継手金具を組み合わせ使用したストレーナ装置のサクションホースに対するワンタッチ接続を行う例を示す分解状態の正面図、（ｂ）は継手金具を組み合わせ使用したストレーナ装置とサクションホースの接続状態を示す正面図、（ｃ）は同上に引き上げロープ付の継手金具を組み合わせた接続状態の正面図
【図６】サクションホースを取付けた消防車の側面図
【図７】従来のストレーナ装置を示す縦断正面図
【発明を実施するための形態】
【００２２】
以下、この発明の実施の形態を図示例に基づいて説明する。
【００２３】
図１と図２は、この発明のストレーナ装置の第１の実施の形態を示している。
【００２４】
ストレーナ装置１１は、サクションホース２の吸引側における端部金具に螺合して取付
けるストレーナ１２と、このストレーナ１２に対して外側を覆うように被せる塵よけ籠１
３と、前記ストレーナ１２と塵よけ籠１３の周壁間に生じた環状隙間内に挿入することに
よって、ストレーナ１２と塵よけ籠１３を互いに抜けないように結合するフック部材１４
と、前記塵よけ籠１３の開口側端部に被せて取付ける環状のカバー１５との組み合わせに
よって形成されている。
【００２５】
上記、ストレーナ１２は、一端側が開口して他端側が閉鎖された円筒状で周囲に多数の
通水孔１６を設けて形成され、このストレーナ１２の一端側開口の内周面に、サクション
ホース２の端部金具に螺合するための雌ねじ１７が設けられている。
【００２６】
上記塵よけ籠１３は、合成樹脂の縦扁平線材１３ａと横縦扁平線材１３ｂを用い、直径
と長さが上記ストレーナ１２よりも大きい有底状の筒形で、周囲が通水性のあるように編
み上げられている。
【００２７】
上記フック部材１４は、ストレーナ１２の一端側寄りに外嵌する環状体１８に複数本の
アーム１９を軸方向に延設し、各アーム１９の先端部と根元側部分の外面に係合爪２０を
設けて形成され、このフック部材１４は、合成樹脂を用いることにより、各アーム１９に
塵よけ籠１３の半径方向に沿う弾力性を持たせ、係合爪２０を塵よけ籠の周壁における横
扁平線材１３ｂに対して弾力的に係合させることができるようになっている。
【００２８】
このフック部材１４の係合爪２０は、塵よけ籠１３の内部に対する進入時は、横扁平線
材１３ｂと係合を生じることがなく、逆に塵よけ籠１３に対する抜き取り方向には横扁平
線材１３ｂに係合することで抜き取り不能となるようになっている。
【００２９】
上記ストレーナ１２の一端側寄りの外周面に、これに外嵌したフック部材１４の環状体
１８が他端側に移動するのを規制するフランジ２１が設けられている。
【００３０】
第１の実施の形態のストレーナ装置１１は、上記のような構成であり、消防用サクショ
ンホース２の吸引側にこのストレーナ装置１１を取付けるには、先ず、サクションホース
２にカバー１５とフック部材１４を挿通しておき、次に、サクションホース２の端部金具
に形成してある雄ねじに、ストレーナ１２の雌ねじ１７を螺合することにより、サクショ
ンホース２にストレーナ１２を取付け、このストレーナ１２に塵よけ籠１３を被せる。
【００３１】
塵よけ籠１３を移動しないように保持した状態で、サクションホース２に挿通しておい
たフック部材１４をストレーナ１２側に移動させ、環状体１８に設けたアーム１９を前記
ストレーナ１２と塵よけ籠１３の周壁間に生じた環状隙間内に挿入すると、各アーム１９
に設けた係合爪２０が塵よけ籠１３の内周面を擦りながら進入し、環状体１８がストレー
ナ１２に嵌合してフランジ２１に当接する位置まで移動させ、フック部材１４を介してス
トレーナ１２に塵よけ籠１３を取付ける。
【００３２】
上記フック部材１４の環状体１８がフランジ２１に当接して停止すると、図２のように
、各アーム１９に設けた係合爪２０の先が塵よけ籠１３の内周面に圧接しているので、ス
トレーナ１２に対して塵よけ籠１３に抜ける方向の力が加わると、フック部材１４は環状
体１８がフランジ２１に当接することで抜け止めとなり、同時に、係合爪２０の先が塵よ
け籠１３を形成する横扁平線材１３ｂに係合するため、塵よけ籠１３は抜け止め状態とな
り、これによってストレーナ１２に対して塵よけ籠１３が固定化され、最後にカバー１５
を塵よけ籠１３の端部に嵌着すれば、取付け作業の完了となる。
【００３３】
このようにして、ストレーナ装置１１が取付けられたサクションホース２は、ストレー
ナ装置１１を水源に浸漬させてポンプを起動させ、消火ホースからの放水を可能とするも
のであり、ストレーナ装置１１は、吸水時に塵よけ籠１３とストレーナ１２の二重構造で
の濾過により、水源に含まれているゴミや砂利等の不要物が吸込まれないようにする。
【００３４】
図３は、ストレーナ装置１１の第２の実施の形態を示し、サクションホース２への取付
けに、サクションホース引き上げロープ２２を連結した継手金具２３を組合わせ使用して
いる。
【００３５】
上記継手金具２３は、ストレーナ１２の雌ねじ１７に螺合する雄ねじ筒２４と、サクシ
ョンホース２の端部金具を螺合する雌ねじ筒２５を一体化して筒状に形成され、前記雌ね
じ筒２５は、外周に設けた周溝２６にステンレスバンド２７を回転可能に巻着し、このバ
ンド２７により戻し２８とフック２９を介して引き上げロープ２２が接続されている。
【００３６】
この第２の実施の形態のストレーナ装置１１は、継手金具２３を介してサクションホー
ス２に取付けられ、継手金具２３に長い引き上げロープ２２を接続することにより、水源
に投入したサクションホース２の吸引側端部を、前記引き上げロープ２２でストレーナ装
置１１と共に地上へ引き上げることができることになる。
【００３７】
図４（ａ）乃至（ｃ）は、ストレーナ装置１１の第３の実施の形態を示し、サクション
ホース２への取付けに、第２継手金具３０を組合わせ使用している。
【００３８】
この第２継手金具３０は、ストレーナ１２の雌ねじ１７に螺合する雄ねじ筒３１と、サ
クションホース２の端部金具を螺合する雌ねじ筒３２を一体化して筒状に形成され、雌ね
じ筒３２の内径を選ぶことにより、径の異なるサクションホース２に対してストレーナ装
置１１の取付けが可能になる。
【００３９】
図４（ｂ）と（ｃ）は、上記した第２の実施の形態の継手金具２３と第３の実施の形態
の第２継手金具３０を組み合わせ使用し、引き上げロープ２２の接続と径の異なるサクシ
ョンホース２への対応を同時に行えるようにした例を示している。
【００４０】
図５（ａ）乃至（ｃ）は、サクションホース２に対してストレーナ装置１１の取付けに
上記した継手金具２３と第２継手金具３０を用い、この継手金具２３と第２継手金具３０
を利用してサクションホース２にストレーナ装置１１をワンタッチで取付けることができ
るようにした例を示している。
【００４１】
図５に示す例では、サクションホース２の端部金具に、ホルダー金具３３を螺合によっ
て予め取付けておき、継手金具２３又は第２継手金具３０の雌ねじ筒２５又は３２の端部
に連成した接続筒３４の外周面に係止溝３５を周設し、接続筒３４をホルダー金具３３内
に差し込むと、図示省略したが、ホルダー金具３３内に半径方向へ移動可能で内方への弾
性が付勢された状態に組み込まれた複数の係止ボールが係止溝３５に係合し、ワンタッチ
操作でサクションホース２にストレーナ装置１１を取付ることができることになる。
【００４２】
なお、ストレーナ装置１１を取外す場合は、係止ボールと係止溝３５の弾性係合力に打
ち勝つ力でサクションホース２とストレーナ装置１１を引き離すようにすればよい。
【符号の説明】
【００４３】
２          サクションホース
１１        ストレーナ装置
１２        ストレーナ
１３        塵よけ籠
１４        フック部材
１５        環状のカバー
１６        通水孔
１７        雌ねじ
１８        環状体
１９        アーム
２０        係合爪
２１        フランジ
２２        引き上げロープ
２３        継手金具
２４        雄ねじ筒
２５        雌ねじ筒
２６        周溝
２７        ステンレスバンド
２８        より戻し
２９        フック
３０        第２継手金具
３１        雄ねじ筒
３２        雌ねじ筒
３３        ホルダー金具
３４        接続筒
３５        係止溝
【図１】
2010240475.tif 000003
【図２】
2010240475.tif 000004
【図３】
2010240475.tif 000005
【図４】
2010240475.tif 000006
【図５】
2010240475.tif 000007
【図６】
2010240475.tif 000008
【図７】
2010240475.tif 000009